(57)【要約】【課題】操作パネルに設けられた共通の開口に対して操作ノブと目隠部材のいずれか一方を選択的に配置する場合において、操作パネルをわざわざ取り外すことなく操作ノブと目隠部材を簡単に交換できる車載用電子機器の操作パネル装置を提供すること。【解決手段】押釦スイッチ１７が実装されたプリント基板１０上にベース部材４を載置すると共に、このベース部材４に貫通孔７と駆動部６ａおよびヒンジ部６ｃ等を有する枠状のスイッチ駆動部材６を揺動可能に取り付け、複数の開口１４を有する操作パネル１０によってこれらプリント基板１０とベース部材４およびスイッチ駆動部材６を覆う。そして、押釦スイッチ１７を動作する操作ノブ１を開口１４に配置する場合は、操作ノブ１をスイッチ駆動部材６にスナップ結合して両者を一体化し、操作ノブ１を目隠部材２に交換する場合は、該操作ノブ１を開口１４から引き抜いてスイッチ駆動部材６と分離した後、この開口１４から目隠部材２を挿入してベース部材４にスナップ結合することにより、操作ノブ１が取り除かれた開口１４を目隠部材２によって塞ぐ。【選択図】　　　図４
2004095437.tif 000002
【特許請求の範囲】
【請求項１】
操作パネルに設けられた開口に対して操作ノブと目隠部材のいずれか一方が選択的に配置される車載用電子機器の操作パネル装置において、押釦スイッチが実装されたプリント基板と、このプリント基板と前記操作パネルの間に配置されたベース部材と、このベース部材にヒンジ部を介して揺動可能に連結されたスイッチ駆動部材とを備え、前記操作ノブが前記スイッチ駆動部材にスナップ結合されるように構成して該操作ノブを前記開口に対して抜き取り可能とすると共に、前記開口の外部から挿入した前記目隠部材が前記ベース部材にスナップ結合されるように構成したことを特徴とする車載用電子機器の操作パネル装置。
【請求項２】
請求項１の記載において、前記ベース部材と前記スイッチ駆動部材を別体となし、該スイッチ駆動部材に前記ヒンジ部と前記ベース部材に固定される支持部とを一体形成したことを特徴とする車載用電子機器の操作パネル装置。
【請求項３】
請求項１または２の記載において、前記スイッチ駆動部材を貫通孔を有する枠状に形成し、該スイッチ駆動部材の周縁部を前記押釦スイッチに内蔵された復帰ばねによって前記操作パネルの裏面と当接する方向へ付勢したことを特徴とする車載用電子機器の操作パネル装置。
【請求項４】
請求項３の記載において、前記目隠部材を前記貫通孔を挿通して前記ベース部材にスナップ結合し、前記押釦スイッチに内蔵された復帰ばねによって前記スイッチ駆動部材の周縁部を該目隠部材に弾接させたことを特徴とする車載用電子機器の操作パネル装置。
【発明の詳細な説明】
【０００１】
【発明の属する技術分野】
本発明は、操作パネルに設けられた開口に対して操作ノブと目隠部材のいずれか一方が選択的に配置される車載用電子機器の操作パネル装置に関する。
【０００２】
【従来の技術】
図５は従来より知られている車載用電子機器の操作パネル装置の平面図、図６は図５のＶＩ−ＶＩ線に沿う断面図である。図５において、符号１０は車内のダッシュボード等の外装部材を構成する操作パネルを示しており、この操作パネル１０には、図示せぬロータリエンコーダを操作する一対の回転つまみ１１や、後述する押釦スイッチを操作する複数の操作ノブ１２が配置されている。これら操作ノブ１２の表面には自身の機能を表す表示部１３が形成されており、図示の例では、左端の操作ノブ１２にエアコンの動作をオン／オフする表示部１３が形成され、残りの各操作ノブ１２に吹き出し口を選択する表示部１３が形成されている。
【０００３】
図６に示すように、左端の操作ノブ１２は、操作パネル１０に設けられた開口１４から上方へ突出する押圧部１２ａと、この押圧部１２ａの一端側から下方へ延びる駆動部１２ｂと、押圧部１２ａの他端側からヒンジ部１２ｃを介して下方へ延びる支持部１２ｄとで構成されており、押圧部１２ａの周囲の駆動部１２ｂ上端とヒンジ部１２ｃが操作パネル１０の裏面に当接することにより、開口１４から抜け出さないようになっている。図示省略されているが、他の操作ノブ１２も同様に構成されている。操作ノブ１２の支持部１２ｄはベース部材１５にスナップ結合により固定されており、このベース部材１５はプリント基板１６上に載置・固定されている。このプリント基板１６には複数の押釦スイッチ１７が実装されており、各操作ノブ１２の駆動部１２ｂは対応する押釦スイッチ１７のアクチュエータ１７ａに当接している。
【０００４】
したがって、ユーザが任意の操作ノブ１２の押圧部１２ａを押し込み操作すると、該操作ノブ１２のヒンジ部１２ｃが下方へ撓んで揺動するため、駆動部１２ｂがアクチュエータ１７ａを押し下げて押釦スイッチ１７を動作させることができる。また、操作ノブ１２に対する上記押し込み力を除去すると、押釦スイッチ１７に内蔵された図示せぬ復帰ばねによって駆動部１２ｂが持ち上げられ、それに伴って駆動部１２ｂの上端とヒンジ部１２ｃが操作パネル１０の裏面に当接するため、操作ノブ１２は図６に示す初期状態に戻る。
【０００５】
従来より、このように構成された操作パネル装置において、操作パネル１０に配列された複数の操作ノブ１２のいくつかを不要とする場合があり、例えばエアコンを装備しない寒冷地向けの自動車では、図５の左端に配置されたエアコン用の操作ノブ１２が不要となり、それ以外の操作ノブ１２については同一仕様となる。このような場合は、図７に示すように、不要となったエアコン用の操作ノブ１２のみを操作パネル１０の開口１４から取り除き、その開口１４を目隠部材１８で塞ぐことにより、できるだけ部品の共通化を図るという手法が採用されている。この目隠部材１８には突部１８ａと鍔部１８ｂおよび受部１８ｃが一体形成されており、不要となった操作ノブ１２の代わりに目隠部材１８を使用する場合は、まず、操作パネル１０を取り外して不要となった操作ノブ１２をベース部材１５から取り除き、該操作ノブ１２が配置されていた開口１４内に目隠部材１８の突部１８ａを挿入すると共に、目隠部材１８の鍔部１８ｂを操作パネル１０の裏面に接着等で固定する。しかる後、操作パネル１０を元の状態に取り付けると、目隠部材１８の受部１８ｃがベース部材１５に突き当たり、この目隠部材１８の突部１８ａによって図５の左端の開口１４が塞がれると共に、残りの開口１４に図５と同一の操作ノブ１２が配置されることになる。
【０００６】
このように操作パネル１０の開口１４に対して操作ノブ１２と目隠部材１８のいずれか一方を選択的に配置するように構成した操作パネル装置によれば、不要となった操作ノブ１２に対応する押釦スイッチ１７は使用されない無駄な部品となるが、部品コストが大きい操作パネル１０を開口１４の一部を塞いだ新規部品に交換する場合に比べると、操作ノブ１２と目隠部材１８を交換するだけで済むため、部品の共通化が図れてトータルコストを大幅に低減することができる。なお、目隠部材１８に交換される操作ノブ１２は１つに限らず、２つ以上の操作ノブ１２を目隠部材１８に交換する場合もあるが、この場合の構成や交換手順は基本的に上記と同じである。
【０００７】
【発明が解決しようとする課題】
しかしながら、前述した従来の操作パネル装置では、操作ノブ１２を目隠部材１８に交換する際に、操作パネル１０を一旦取り外してから再度取り付けるという煩雑な工程を必要とするため、組立作業性が悪いという問題があった。すなわち、操作パネル１０の内部に配設されたベース部材１５に操作ノブ１２の支持部１２ｄが固定され、この操作ノブ１２に駆動部１２ｂとヒンジ部１２ｃや開口１４内に突出する押圧部１２ａが一体形成されているため、操作パネル１０を取り外して操作ノブ１２の上方に分解用のスペースを確保しないと、不要となった操作ノブ１２をベース部材１５から取り除くことができない。同様に、目隠部材１８の鍔部１８ｂを操作パネル１０の裏面に接着等で固定する必要があるため、操作パネル１０を取り外さないと、目隠部材１８の突部１８ａを開口１４内に挿入することができない。
【０００８】
本発明は、このような従来技術の実情に鑑みてなされたもので、その目的は、操作パネルをわざわざ取り外すことなく操作ノブと目隠部材を簡単に交換することが可能な車載用電子機器の操作パネル装置を提供することにある。
【０００９】
【課題を解決するための手段】
本発明は、押釦スイッチを動作する操作ノブをベース部材にヒンジ結合されたスイッチ駆動部材にスナップ結合し、操作パネルの開口を塞ぐ目隠部材はベース部材にスナップ結合するこことする。このような構成を採用すると、不要となった操作ノブを目隠部材に交換する場合、該操作ノブを開口から引き抜いてスイッチ駆動部材と分離した後、この開口から目隠部材を挿入して内部のベース部材にスナップ結合すれば、目隠部材がベース部材に固定されて開口を塞ぐことができるため、操作パネルをわざわざ取り外すことなく操作ノブと目隠部材を簡単に交換することができる。
【００１０】
【発明の実施の形態】
本発明による車載用電子機器の操作パネル装置では、操作パネルに設けられた開口に対して操作ノブと目隠部材のいずれか一方が選択的に配置される車載用電子機器の操作パネル装置において、押釦スイッチが実装されたプリント基板と、このプリント基板と前記操作パネルの間に配置されたベース部材と、このベース部材にヒンジ部を介して揺動可能に連結されたスイッチ駆動部材とを備え、前記操作ノブが前記スイッチ駆動部材にスナップ結合されるように構成して該操作ノブを前記開口に対して抜き取り可能とすると共に、前記開口の外部から挿入した前記目隠部材が前記ベース部材にスナップ結合されるように構成した。
【００１１】
このように構成された操作パネル装置では、操作パネルの開口に操作ノブが配置されている場合、ユーザが開口内に露出する操作ノブを押し込み操作することにより、操作ノブとスイッチ駆動部材がベース部材に対して一体的に揺動し、該スイッチ駆動部材によってプリント基板上の押釦スイッチが動作される。また、不要となった操作ノブを目隠部材に交換する場合は、該操作ノブを開口から引き抜いてスイッチ駆動部材と分離した後、この開口から目隠部材を挿入して内部のベース部材にスナップ結合すれば、目隠部材がベース部材に固定されて開口を塞ぐことができるため、操作パネルをわざわざ取り外すことなく操作ノブと目隠部材を簡単に交換することができる。
【００１２】
上記の構成において、ベース部材とスイッチ駆動部材を一体品としても良いが、これらベース部材とスイッチ駆動部材を別体となし、該スイッチ駆動部材にヒンジ部とベース部材に固定される支持部とを一体形成することが好ましい。
【００１３】
また、上記の構成において、スイッチ駆動部材を貫通孔を有する枠状に形成し、該スイッチ駆動部材の周縁部を押釦スイッチに内蔵された復帰ばねによって操作パネルの裏面と当接する方向へ付勢することが好ましい。この場合において、目隠部材を貫通孔を挿通してベース部材にスナップ結合し、押釦スイッチに内蔵された復帰ばねによってスイッチ駆動部材の周縁部を該目隠部材に弾接させるようにすれば、開口を目隠部材で塞いでいるときに外部から振動が作用したとしても、スイッチ駆動部材のガタが目隠部材によって抑制されるため、ラットルノイズと称される異音の発生を防止することができる。
【００１４】
【実施例】
実施例について図面を参照して説明すると、図１は実施例に係る操作パネル装置の要部を示す分解斜視図、図２は開口に操作ノブが配置された状態を示す一方向（図１のＸ方向）に沿う断面図、図３は開口に操作ノブが配置された状態を示す他方向（図１のＹ方向）に沿う断面図、図４は開口に目隠部材が配置された状態を示す一方向（図１のＸ方向）に沿う断面図であり、前述した図５〜図７に対応する部分には同一符号を付してある。
【００１５】
本実施例に係る車載用電子機器の操作パネル装置では、前述した従来例（図５参照）と同様に、操作パネル１０に設けられた複数の開口１４に操作ノブ１が配置されており、必要に応じて操作ノブ１と目隠部材２のいずれか一方が同一の開口１４に対して選択的に配置されるようになっている。
【００１６】
操作ノブ１はアクリル樹脂等の光透過性材料で成形されており、その表面に一部を除いて遮光性塗料を塗布することにより、自身の機能を表す露出する表示部３が形成されている。図１に示す操作ノブ１の場合には、エアコンの動作をオン／オフする「Ａ／Ｃ」の文字が表示部３として形成されているが、図示せぬ他の操作ノブには吹き出し口等を選択する別の表示部がそれぞれ形成されている。この操作ノブ１の裏面には一対の取付脚１ａが垂設されており、各取付脚１ａには係止孔１ｂが形成されている。一方、目隠部材２はＡＢＳ樹脂等の有色遮光性材料で成形されており、操作ノブ１と目隠部材２はほぼ同様の外形形状に形成されている。この目隠部材２の裏面にも一対の取付脚２ａが垂設されており、各取付脚２ａには係止孔２ｂが形成されている。
【００１７】
操作パネル１０の内部には合成樹脂製のベース部材４が配設されており、このベース部材４の図示下面にプリント基板１６がネジ止め等の手段を用いて固定されている。プリント基板１６上には各操作パネル１に対応して複数の押釦スイッチ１７が実装されており、各押釦スイッチ１７は昇降可能なアクチュエータ１７ａを有している。押釦スイッチ１７の内部には図示せぬ復帰ばねと可動接点および固定接点が収納されており、この復帰ばねの弾性力に抗してアクチュエータ１７ａを下降させることにより、可動接点が固定接点に接触してスイッチング動作されるようになっている。
【００１８】
ベース部材４には各開口１４に対向する複数の突壁４ａが一体形成されており、これら突壁４ａの相対向する両側面には第１の爪部４ｂが形成されている。また、ベース部材４には開口１４の長手方向（Ｘ方向）に沿って延びる溝部４ｃが形成されており、この溝部４ｃ内には各開口１４に対応して複数の係止爪４ｄが形成されている。さらに、ベース部材４には各開口１４に対応して複数の透孔５が穿設されており、これら係止爪４ｄと透孔５は突壁４ａを介して開口１４の短手方向（Ｙ方向）に配列されている。なお、プリント基板１６の突壁４ａと対向する個所にはランプやＬＥＤ等の図示せぬ光源が取り付けられていると共に、ベース部材４には図示せぬ導光体が取り付けられており、この光源で発せられた光が導光体から突壁４ａ内を通って操作ノブ１の裏面に導かれることにより、夜間等の暗所でも表示部３を視認できるようになっている。
【００１９】
ベース部材４には各開口１４に対応して複数のスイッチ駆動部材６が取り付けられており、これらスイッチ駆動部材６は対応する開口１４とほぼ同形状の貫通孔７を有する枠状に形成されている。スイッチ駆動部材６の貫通孔７を介してＹ方向に相対向する両端部には駆動部６ａと支持部６ｂが垂設されており、貫通孔７と支持部６ｂとの間は薄肉のヒンジ部６ｃとなっている。支持部６ｂには係止孔６ｄが形成されており、この支持部６ｂを溝部４ｃ内に挿入して係止孔６ｄを係止爪４ｄにスナップ係止することにより、スイッチ駆動部材６は支持部６ｂを固定端としてベース部材４に揺動可能にヒンジ結合されている。また、スイッチ駆動部材６には貫通孔７の両短辺側から下方へ延びる垂下壁６ｅが形成されており、これら垂下壁６ｅの相対向する内側面には第２の爪部６ｆが形成されている。
【００２０】
図２と図３に示すように、操作パネル１０の開口１４に操作ノブ１が配置されている場合、操作ノブ１に形成された両取付脚１ａの係止孔１ｂがスイッチ駆動部材６に形成された両垂下壁６ｅの第２の爪部６ｆにスナップ係止することにより、操作ノブ１は対応するスイッチ駆動部材６に一体化されている。この場合、スイッチ駆動部材６の駆動部６ａがベース部材４の透孔５を挿通して押釦スイッチ１７のアクチュエータ１７ａに当接し、該駆動部６ａが押釦スイッチ１７に内蔵された復帰ばねによって上方へ付勢されているため、互いに一体化された操作ノブ１とスイッチ駆動部材６は支持部６ｂを固定端として上方へ付勢される。これにより、スイッチ駆動部材６の周縁部が操作パネル１０の裏面に弾接し、操作ノブ１は開口１４から抜け出さないようになっている。
【００２１】
かかる状態において、ユーザが任意の操作ノブ１の天面を押し込み操作すると、操作ノブ１に一体化されたスイッチ駆動部材６のヒンジ部６ｃが下方へ撓んで揺動するため、駆動部６ａがアクチュエータ１７ａを押し下げて押釦スイッチ１７を動作させることができる。また、操作ノブ１に対する上記押し込み力を除去すると、押釦スイッチ１７に内蔵された復帰ばねによって駆動部６ａが持ち上げられ、それに伴ってスイッチ駆動部材６の周縁部が操作パネル１０の裏面に当接するため、操作ノブ１は図２と図３に示す初期状態に戻る。
【００２２】
一方、任意の操作ノブ１を不要とする場合、例えばエアコンを装備しない寒冷地仕様の自動車の場合には、表示部３として「Ａ／Ｃ」の文字が施された操作ノブ１を開口１４の上方側から引っ張ることにより、該操作ノブ１の係止孔１ｂと第２の爪部６ｆのスナップ結合を解除してスイッチ駆動部材６と分離し、操作ノブ１を開口１４から引き抜く。その後、図４に示すように、この開口１４から目隠部材２を挿入して内部のベース部材４にスナップ結合する。この場合、不要となった操作ノブ１を開口１４から引き抜くと、開口１４の内部にスイッチ駆動部材６の貫通孔７が露出するため、目隠部材２の両取付脚２ａを開口１４と貫通孔７を挿通してベース部材４の突壁４ａに向けて押し込めば、両取付脚２ａの係止孔２ｂが突壁４ａの第１の爪部４ｂにスナップ係止され、ベース部材４に固定された目隠部材２によって開口１４を塞ぐことができる。その際、目隠部材２の周縁部の下端が貫通孔７の周縁部に当接してスイッチ駆動部材６を僅かに下降させ、押釦スイッチ１７に内蔵された復帰ばねによってスイッチ駆動部材６の周縁部が目隠部材２の下端に弾接されるため、スイッチ駆動部材６は目隠部材２とアクチュエータ１７ａとによって挟持されることになり、よってスイッチ駆動部材６が不所望に揺動して操作パネル１０の裏面に衝突することはなく、外部振動に起因するラットルノイズの発生を防止することができる。また、目隠部材２の取付脚２ａの下端面はベース部材４に当接するので、この目隠部材２が不用意に押し込まれることはない。
【００２３】
このように本実施例に係る車載用電子機器の操作パネル装置によれば、操作パネル１０に設けられた共通の開口１４に対して操作ノブ１と目隠部材２のいずれか一方を選択的に配置する際に、操作ノブ１はベース部材４にヒンジ結合されたスイッチ駆動部材６にスナップ結合し、目隠部材２はベース部材４にスナップ結合するようにしたので、開口１４に操作ノブ１が配置されている場合は、ユーザが開口１４内に露出する操作ノブ１を押し込み操作することにより、操作ノブ１とスイッチ駆動部材６をベース部材４に対して一体的に揺動させて押釦スイッチ１７を動作させることができる。また、不要となった操作ノブ１を目隠部材２に交換する場合は、該操作ノブ１を開口１４から引き抜いてスイッチ駆動部材６と分離した後、この開口１４から目隠部材２を挿入して内部のベース部材４にスナップ結合すれば、目隠部材２がベース部材４に固定されて開口１４を塞ぐことができる。したがって、操作パネル１０をわざわざ取り外さなくても、操作ノブ１と目隠部材２を簡単に交換することができ、組立作業性を大幅に向上させることができる。
【００２４】
また、枠状に形成したスイッチ駆動部材６に駆動部６ａと支持部６ｂおよびヒンジ部６ｃ等を一体形成し、この支持部６ｂをベース部材４に固定することにより、スイッチ駆動部材６をベース部材４に対して揺動可能にヒンジ結合するようにしたので、ベース部材４とスイッチ駆動部材６を個別に成形することが可能で、複雑形状のベース部材４とスイッチ駆動部材６のユニット品を得ることができる。しかも、スイッチ駆動部材６に開口１４とほぼ同形状の貫通孔７を形成し、この貫通孔７に対向するベース部材４の突壁４ａに目隠部材２の取付脚２ａがスナップ結合される第１の爪部４ｂを形成すると共に、貫通孔７の縁部から下方へ延びる垂下壁６ｅの内側面に操作ノブ１の取付脚１ａがスナップ結合される第２の爪部６ｆを形成したので、操作ノブ１を開口１４から抜き取ってスイッチ駆動部材６とのスナップ結合を解除する際に、貫通孔７を利用して操作ノブ１の取付脚１ａを容易に撓めることができるのみならず、目隠部材２を開口１４から挿入してベース部材４にスナップ結合する際も、貫通孔７を利用して目隠部材２の取付脚２ａを第１の爪部４ｂに容易に係止することができる。
【００２５】
さらに、開口１４が目隠部材２によって塞がれているときに、目隠部材２の下端が貫通孔７の周縁部に当接してスイッチ駆動部材６を僅かに下降させることにより、押釦スイッチ１７に内蔵された復帰ばねによってスイッチ駆動部材６の周縁部を目隠部材２の下端に弾接させているため、スイッチ駆動部材６が不所望に揺動して操作パネル１０の裏面に衝突することはなく、外部振動に起因するラットルノイズの発生を防止することができる。
【００２６】
【発明の効果】
本発明は、以上説明したような形態で実施され、以下に記載されるような効果を奏する。
【００２７】
操作パネルに設けられた共通の開口に対して操作ノブと目隠部材のいずれか一方を選択的に配置する車載用電子機器の操作パネル装置において、押釦スイッチを動作する操作ノブをベース部材にヒンジ結合されたスイッチ駆動部材にスナップ結合すると共に、操作パネルの開口を塞ぐ目隠部材をベース部材にスナップ結合するように構成したので、不要となった操作ノブを目隠部材に交換する場合、該操作ノブを開口から引き抜いてスイッチ駆動部材と分離した後、この開口から目隠部材を挿入して内部のベース部材にスナップ結合すれば、目隠部材がベース部材に固定されて開口を塞ぐことができ、それ故、操作パネルをわざわざ取り外すことなく操作ノブと目隠部材を簡単に交換することができる。
【図面の簡単な説明】
【図１】実施例に係る操作パネル装置の要部を示す分解斜視図である。
【図２】開口に操作ノブが配置された状態を示す一方向に沿う断面図である。
【図３】開口に操作ノブが配置された状態を示す他方向に沿う断面図である。
【図４】開口に目隠部材が配置された状態を示す一方向に沿う断面図である。
【図５】従来例に係る車載用電子機器の操作パネル装置の平面図である。
【図６】図５のＶＩ−ＶＩ線に沿う断面図である。
【図７】図５の操作パネル装置の開口に目隠部材が配置された状態を示す断面図である。
【符号の説明】
１　操作ノブ
１ａ　取付脚
１ｂ　係止孔
２　目隠部材
２ａ　取付脚
２ｂ　係止孔
３　表示部
４ａ　突壁
４ｂ　第１の爪部
４ｃ　溝部
４ｄ　係止爪
５　透孔
６　スイッチ駆動部材
６ａ　駆動部
６ｂ　支持部
６ｃ　ヒンジ部
６ｄ　係止孔
６ｅ　垂下壁
６ｆ　第２の爪部
７　貫通孔
１０　操作パネル
１４　開口
１６　プリント基板
１７　押釦スイッチ
１７ａ　アクチュエータ
【図１】
2004095437.tif 000003
【図２】
2004095437.tif 000004
【図３】
2004095437.tif 000005
【図４】
2004095437.tif 000006
【図５】
2004095437.tif 000007
【図６】
2004095437.tif 000008
【図７】
2004095437.tif 000009